(57)【要約】【課題】船底に形成されている船外機装着用の開口部への船外機の取付、取外作業を簡単で、安全なものにする。【解決手段】船外機装着用開口部を形成して上下方向に伸びる内壁面と、内壁面上端から外周方向に伸びる上壁面と、上壁面の外周縁から船底に下向きに伸びる外壁面とを有する開口部周縁に着脱される、前記外壁面、上壁面、内壁面に対応する屈曲構造を有する船外機着脱具を備えている船外機を開口部に着脱する際に開口部周縁に取り付けて使用される船底開口部への船外機装着用治具。開口部周縁の外壁面、内壁面、上壁面に対応する屈曲構造を有する、外側掛止片、外側掛止片の内側で外側掛止片と平行に伸びる内側掛止片、外側掛止片及び内側掛止片の上端縁同士を結ぶ上側掛止片を有する。開口部周縁に上側から装着され、外側掛止片と外壁面との間で緊締係合を行う緊締具が外側掛止片に配備されている。【選択図】図５
2018065401.tif 000002
【特許請求の範囲】
【請求項１】
船の船底に設けられている船外機装着用の開口部を形成して上下方向に伸びる内壁面と、前記内壁面の上端から外周方向に向かって伸びる上壁面と、前記上壁面の外周縁から前記船底に向かって下向きに伸びる外壁面とを備えている前記開口部の開口部周縁に着脱される船外機着脱具であって、前記開口部周縁の前記外壁面、前記上壁面、前記内壁面に対応する屈曲構造を有する船外機着脱具を備えている船外機を、前記開口部に着脱する際に、前記開口部周縁に取り付けて使用される、船底開口部への船外機装着用治具であって、
前記開口部周縁の前記外壁面、前記内壁面、前記上壁面に対応する屈曲構造を有する、外側掛止片と、当該外側掛止片の内側で当該外側掛止片と平行に伸びる内側掛止片と、当該外側掛止片の上端縁と前記内側掛止片の上端縁とを結ぶ上側掛止片を備えていて、
前記開口部周縁に対して上側から装着され、前記外側掛止片と前記開口部周縁の外壁面との間で緊締係合を行う緊締具が前記外側掛止片に配備されている
船外機装着用治具。
【請求項２】
前記開口部周縁に対して上側から装着された前記船外機装着用治具に対して、前記船外機の前記船外機着脱具が上側から着脱自在である請求項１記載の船外機装着用治具。
【発明の詳細な説明】
【技術分野】
【０００１】
この発明は、船底開口部への船外機装着用治具に関する。特に、海苔養殖作業船などにおいて当該海苔養殖作業船の船底に形成されている船外機装着用の開口部に対して船外機を取り付け、取り外しする作業を簡単で、安全なものにする船底開口部への船外機装着用治具に関する。
【背景技術】
【０００２】
海苔の養殖においては、海中で養殖した海苔を刈り取ったり、海苔網に酸処理などの処理を施す際に海苔養殖作業船が使用されている。本願出願人も、海苔養殖場で使用される海苔養殖作業船について提案を行ったことがある（特許文献１）。
【０００３】
海苔養殖作業船では、船底に船外機装着用の開口部が設けられており、海苔養殖作業船を目的とする場所に移動させる際に、当該開口部を塞いでいた蓋を外して船外機を当該船底開口部に装着し、船外機を駆動させて、所望の場所に海苔養殖作業船を移動させている。
【０００４】
移動した場所で作業を行うときには、船底開口部から船外機を引き抜き、海苔養殖作業船上の後方などに船外機を固定し、船底開口部は蓋で閉鎖して、作業を行っている。
【０００５】
図６、図７は、一般的に使用されている船外機の概要を説明するものである。本体部５１内に内蔵されている駆動機構によって下端側に配備されているプロペラ部５２を回転させるものである。
【０００６】
図６、図７図示の船外機５０は、金属製の船外機着脱具２１を備えている。
【０００７】
船の船底１５に設けられている船外機装着用の開口部１３は、開口部１３を形成して上下方向に伸びる内壁面１４ｃと、内壁面１４ｃの上端から外周方向に向かって伸びる上壁面１４ｂと、上壁面１４ｂの外周縁から船底１５に向かって下向きに伸びる外壁面１４ａとを備えている開口部周縁１４を一般的に備えている。
【０００８】
図６、図７図示の船外機５０が備えている船外機着脱具２１は、開口部周縁１４の外壁面１４ａ、内壁面１４ｃ、上壁面１４ｂに対応する屈曲構造を有する、外側掛止片２２と、外側掛止片２２の内側で外側掛止片２２と平行に伸びる内側掛止片２４と、外側掛止片２２の上端縁と内側掛止片２４の上端縁とを結ぶ上側掛止片２３を備えている。
【０００９】
そして、開口部周縁１４に対して上側から装着され、外側掛止片２２と開口部周縁１４の外壁面１４ａとの間で緊締係合を行う緊締具３０が外側掛止片２２に配備されている構造になっている。
【００１０】
図６、図７図示の船外機５０では、船外機着脱具２１を、開口部周縁１４に対して上側から装着し、緊締具３０を構成するハンドル部３１を回して、緊締具３０を構成する固定片３２を、開口部周縁１４の外壁面１４ａ方向に向けて前進させ、固定片３２を開口部周縁１４の外壁面１４ａに圧接させることで、船外機着脱具２１を開口部１３の開口部周縁１４に緊締係合させ、こうして、船外機５０を、海苔養殖作業船の船底１５に形成されている船外機取付け用の開口部１３に取り付けている。
【００１１】
一方、所望の場所に移動して、船底１５の開口部１３から船外機５０を取り外すし、引き抜く際には、船外機着脱具２１の緊締具３０を構成するハンドル部３１を逆方向に回して、緊締具３０を構成する固定片３２を、開口部周縁１４の外壁面１４ａから離れる方向に後退させ、固定片３２と開口部周縁１４の外壁面１４ａとの間の圧接状態を解除した後に、船外機５０の船外機着脱具２１を開口部周縁１４から上方向に向けて取り外している。
【００１２】
海苔養殖場では様々な場所へ、何度も何度も海苔養殖作業船を移動させて作業を行うことになる。
【００１３】
従来は、この移動を行うたびごとに、上述した船外機５０の着脱作業を行っていた。
【００１４】
船外機５０は相当の重量を有しているので、この着脱作業は簡単ではなく、海の上での作業であることから、危険にさらされるおそれもある作業である。
【００１５】
従来、船のボードに容易に設置でき、船外機が盗まれることを効率的に防ぐ目的で船外機用ロック装置が提案されたことがあるが（例えば、特許文献２）、海苔養殖作業船などにおいて当該海苔養殖作業船の船底に形成されている船外機装着用の開口部に対して船外機を取り付け、取り外しする作業を簡単で、安全なものにする船底開口部への船外機装着用治具に関する提案は行われていなかった。
【先行技術文献】
【特許文献】
【００１６】
【特許文献１】特開２００７−３７４３２号公報
【特許文献２】実用新案登録第３０９６１２４号公報
【発明の概要】
【発明が解決しようとする課題】
【００１７】
この発明は、海苔養殖作業船などにおいて当該海苔養殖作業船の船底に形成されている船外機装着用の開口部に対して船外機を取り付け、取り外しする作業を簡単で、安全なものにする船底開口部への船外機装着用治具を提案することを目的にしている。
【課題を解決するための手段】
【００１８】
［１］
船の船底に設けられている船外機装着用の開口部を形成して上下方向に伸びる内壁面と、前記内壁面の上端から外周方向に向かって伸びる上壁面と、前記上壁面の外周縁から前記船底に向かって下向きに伸びる外壁面とを備えている前記開口部の開口部周縁に着脱される船外機着脱具であって、前記開口部周縁の前記外壁面、前記上壁面、前記内壁面に対応する屈曲構造を有する船外機着脱具を備えている船外機を、前記開口部に着脱する際に、前記開口部周縁に取り付けて使用される、船底開口部への船外機装着用治具であって、
前記開口部周縁の前記外壁面、前記内壁面、前記上壁面に対応する屈曲構造を有する、外側掛止片と、当該外側掛止片の内側で当該外側掛止片と平行に伸びる内側掛止片と、当該外側掛止片の上端縁と前記内側掛止片の上端縁とを結ぶ上側掛止片を備えていて、
前記開口部周縁に対して上側から装着され、前記外側掛止片と前記開口部周縁の外壁面との間で緊締係合を行う緊締具が前記外側掛止片に配備されている
船外機装着用治具。
【００１９】
［２］
前記開口部周縁に対して上側から装着された前記船外機装着用治具に対して、前記船外機の前記船外機着脱具が上側から着脱自在である［１］の船外機装着用治具。
【発明の効果】
【００２０】
この発明によれば、海苔養殖作業船などにおいて当該海苔養殖作業船の船底に形成されている船外機装着用の開口部に対して船外機を取り付け、取り外しする作業を簡単で、安全なものにする船底開口部への船外機装着用治具を提供することができる。
【図面の簡単な説明】
【００２１】
【図１】この発明の一実施形態に係る船底開口部への船外機装着用治具を表す図であって、（ａ）は側面図、（ｂ）は他の実施状況の一部を省略した側面図。
【図２】（ａ）は、この発明の一実施形態に係る船底開口部への船外機装着用治具を表す図であって、（ａ）は、図１（ａ）図示の状態に対応する正面図、（ｂ）は、図１（ｂ）図示の状態に対応する正面図。
【図３】この発明の一実施形態に係る船底開口部への船外機装着用治具が、船の船底に設けられている船外機装着用の開口部の開口部周縁に装着された状態を説明する一部を省略した側面図。
【図４】（ａ）は、この発明の一実施形態に係る船底開口部への船外機装着用治具が、船の船底に設けられている船外機装着用の開口部の開口部周縁に装着された状態を説明する一部を省略した平面図、（ｂ）は、図４（ａ）図示の状態に引き続いて、船の船底に設けられている船外機装着用の開口部の開口部周縁に対して上側から船外機装着用治具が装着された状態で、その上に、船外機の船外機着脱具が装着された状態を説明する一部を省略した平面図。
【図５】図４（ｂ）図示の状態の一部を省略した側面図。
【図６】船外機の一例を説明する斜視図。
【図７】船外機の一例を説明する側面図。
【発明を実施するための形態】
【００２２】
この実施形態の船底開口部への船外機装着用治具１は、船外機５０が備えている船外機着脱具２１と同じく金属製である。
【００２３】
この金属製の船外機装着用治具１は、船外機５０を、船の船底１５に設けられている船外機装着用の開口部１３に着脱する際に、開口部１３の開口部周縁１４に取り付けて使用される。
【００２４】
船の船底１５に設けられている船外機装着用の開口部１３は開口部周縁１４を備えている。開口部周縁１４は、図３、図５に示されているように、開口部１３を形成して上下方向に伸びる内壁面１４ｃと、内壁面１４ｃの上端から外周方向に向かって伸びる上壁面１４ｂと、上壁面１４ｂの外周縁から船底１５に向かって下向きに伸びる外壁面１４ａとを備えている。
【００２５】
船外機５０は、図６、図７図示のように、金属製の船外機着脱具２１を備えている。船外機着脱具２１は、開口部周縁１４の外壁面１４ａ、内壁面１４ｃ、上壁面１４ｂに対応する屈曲構造を有する、外側掛止片２２と、外側掛止片２２の内側で外側掛止片２２と平行に伸びる内側掛止片２４と、外側掛止片２２の上端縁と内側掛止片２４の上端縁とを結ぶ上側掛止片２３を備えている。
【００２６】
船外機着脱具２１が、開口部周縁１４に対して上側から装着され、外側掛止片２２と開口部周縁１４の外壁面１４ａとの間で緊締係合を行う緊締具３０が外側掛止片２２に配備されている。
【００２７】
船外機着脱具２１を、開口部周縁１４に対して上側から装着し、緊締具３０を構成するハンドル部３１を回して、緊締具３０を構成する固定片３２を、開口部周縁１４の外壁面１４ａ方向に向けて前進させ、固定片３２を開口部周縁１４の外壁面１４ａに圧接させることで、船外機着脱具２１を開口部１３の開口部周縁１４に緊締係合させ、こうして、船外機５０を、海苔養殖作業船の船底１５に形成されている船外機取付け用の開口部１３に取り付けている。
【００２８】
また、船底１５の開口部１３から船外機５０を取り外し、引き抜く際には、船外機着脱具２１の緊締具３０を構成するハンドル部３１を逆方向に回して、緊締具３０を構成する固定片３２を、開口部周縁１４の外壁面１４ａから離れる方向に後退させ、固定片３２と開口部周縁１４の外壁面１４ａとの間の圧接状態を解除した後に、船外機５０の船外機着脱具２１を開口部周縁１４から上方向に向けて取り外している。
【００２９】
この実施形態の船底開口部への船外機装着用治具１は、開口部周縁１４の外壁面１４ａ、内壁面１４ｃ、上壁面１４ｂに対応する屈曲構造を有する、外側掛止片２と、外側掛止片２の内側で外側掛止片２と平行に伸びる内側掛止片４と、外側掛止片２の上端縁と内側掛止片４の上端縁とを結ぶ上側掛止片３を備えている。
【００３０】
すなわち、この実施形態の船底開口部への船外機装着用治具１の外側掛止片２、内側掛止片４、上側掛止片３と、船外機５０が備えている船外機着脱具２１の外側掛止片２２、内側掛止片２４、上側掛止片２３とは、それぞれ、船の船底１５に設けられている船外機装着用の開口部１３の開口部周縁１４の外壁面１４ａ、内壁面１４ｃ、上壁面１４ｂに対応する屈曲構造になっている。
【００３１】
この実施形態の船底開口部への船外機装着用治具１は、船の船底１５に設けられている船外機装着用の開口部１３の開口部周縁１４に対して上側から装着され、外側掛止片２と開口部周縁１４の外壁面１４ａとの間で緊締係合を行う緊締具１０を外側掛止片２に備えている。
【００３２】
この実施形態の船底開口部への船外機装着用治具１を、図３図示のように、船の船底１５に設けられている船外機装着用の開口部１３の開口部周縁１４に対して上側から装着し、緊締具１０を構成するハンドル部１１を回して、緊締具１０を構成する固定片１２を、開口部周縁１４の外壁面１４ａ方向に向けて前進させ、固定片１２を開口部周縁１４の外壁面１４ａに圧接させることで、船外機装着用治具１を開口部１３の開口部周縁１４に緊締係合させ、こうして、船外機装着用治具１を、海苔養殖作業船の船底１５に形成されている船外機取付け用の開口部１３に取り付ける。
【００３３】
この実施形態の船底開口部への船外機装着用治具１は、上側掛止片３の上方に所定の間隔を空けて、横板５を備えている。
【００３４】
図２図示のように、船外機装着用治具１を正面から見て上側掛止片３の一方側の端側には、横板５を、図４に矢印４０、４１で示すように旋回可能に支持する旋回支持部６が突設されている。
【００３５】
一方、図２図示のように、船外機装着用治具１を正面から見て上側掛止片３の他方側の端側には、上側掛止片３から上方に向かって伸びる垂直支持板部８と、支持板部８の上端で上側掛止片３の上側面と平行に伸びる水平支持板部９とを備える支持部７が突設されている。
【００３６】
図２（ａ）に示されているように、図１（ａ）、図２（ａ）図示の状態では、水平支持板部９が横板５の上側に位置する構造になっている。
【００３７】
上述したようにして、船外機装着用治具１を、海苔養殖作業船の船底１５に形成されている船外機取付け用の開口部１３に取り付けた後、横板５を、図１（ａ）、図２（ａ）図示の状態から図４（ａ）に矢印４０で示しているように旋回させて図１（ｂ）、図２（ｂ）図示の状態にし、この状態で、海苔養殖作業船の船底１５に形成されている船外機取付け用の開口部１３に取り付けられている船外機装着用治具１の上に、船外機５０が備えている船外機着脱具２１を装着する。
【００３８】
上述したように、船外機装着用治具１の外側掛止片２、内側掛止片４、上側掛止片３と、船外機５０が備えている船外機着脱具２１の外側掛止片２２、内側掛止片２４、上側掛止片２３とは、それぞれ、船の船底１５に設けられている船外機装着用の開口部１３の開口部周縁１４の外壁面１４ａ、内壁面１４ｃ、上壁面１４ｂに対応する屈曲構造になっているので、図５図示のように、船外機５０が備えている船外機着脱具２１を、船外機装着用治具１に装着することができる。
【００３９】
図５図示のように、船外機装着用治具１の上側掛止片３の上に、船外機５０が備えている船外機着脱具２１の上側掛止片２３が搭載され、船外機着脱具２１の内側掛止片２４が、船外機装着用治具１の内側掛止片４の内側に位置するようになる。
【００４０】
この結果、図５図示のように、緊締具３０を構成する固定片３２が、船外機装着用治具１の外側掛止片２の外側面に当接していなくても、船外機５０を、船の船底１５に設けられている船外機装着用の開口部１３に安定的に取り付けることができる。
【００４１】
しかも、船の船底１５に設けられている船外機装着用の開口部１３の開口部周縁１４に対して、上述し、図３に示されているように、上側から装着されている船外機装着用治具１に対して、上述したように、上側から、船外機５０が備えている船外機着脱具２１の上側掛止片２３と船外機装着用治具１の上側掛止片３とが重なり、船外機着脱具２１の内側掛止片２４が船外機装着用治具１の内側掛止片４の内側に位置するように、船外機５０の船外機着脱具２１を下すだけで、船外機５０を、船の船底１５に設けられている船外機装着用の開口部１３に簡単に、安定的に取り付けることができる。
【００４２】
すなわち、図５図示のように、船外機５０を、船の船底１５に設けられている船外機装着用の開口部１３に取り付ける際に、この実施形態では、緊締具３０を構成するハンドル部３１を回して、緊締具３０を構成する固定片３２を、船外機装着用治具１の外側掛止片２の外側面方向に向けて前進させ、固定片３２を船外機装着用治具１の外側掛止片２の外側面に圧接させることで、船外機着脱具２１を船外機装着用治具１に緊締係合させるという作業を行う必要がなくなる。
【００４３】
なお、横板５を、図１（ｂ）、図２（ｂ）、図４（ａ）図示の状態にして、船外機装着用治具１の上側掛止片３の上に、船外機５０が備えている船外機着脱具２１の上側掛止片２３を搭載し、船外機着脱具２１の内側掛止片２４を、船外機装着用治具１の内側掛止片４の内側に位置するようにして、船外機着脱具２１を備えている船外機５０を船外機装着用治具１の上に装着した後、横板５を、図４（ｂ）に矢印４１で示されているように旋回させて図４（ｂ）図示の状態に戻る。
【００４４】
これによって、船外機装着用治具１の上に装着された船外機５０が備えている船外機着脱具２１の上側掛止片２３は、横板５によって、上側方向に向けて移動できなくなり、より安定的に保持されることになる。
【００４５】
一方、船底１５の開口部１３から船外機５０を取り外し、引き抜く際には、横板５を、図１（ａ）、図２（ａ）、図４（ｂ）図示の状態から図４（ａ）に矢印４０で示しているように旋回させて図１（ｂ）、図２（ｂ）、図４（ａ）図示の状態にし、この状態で、船外機５０が備えている船外機着脱具２１を、上側方向に向けて、船外機装着用治具１から取り外す。
【００４６】
このように、船外機５０を、船の船底１５に設けられている船外機装着用の開口部１３から取り外し、引き抜く際も、図５図示のように、船外機５０が備えている船外機着脱具２１の緊締具３０を構成する固定片３２は、船外機装着用治具１の外側掛止片２の外側面に当接していないので、船外機装着用治具１の横板５を、図４（ｂ）、図５図示の状態から、図４（ａ）に矢印４０で示す方向に旋回させて、図４（ｂ）に破線で示す位置にすれば、簡単に、船外機５０が備えている船外機着脱具２１を、上側方向に向けて、船外機装着用治具１から取り外すことができる。
【００４７】
ここでも、船外機着脱具２１の緊締具３０を構成するハンドル部３１を回して、緊締具３０を構成する固定片３２を、船外機装着用治具１の外側掛止片２の外側面から離れる方向に後退させ、固定片３２と船外機装着用治具１の外側掛止片２の外側面との間の圧接状態を解除する作業は不要である。
【００４８】
こうして、船外機５０が、取り外し、引き抜かれた船底１５の開口部１３には蓋などをして、海苔養殖作業船での作業を行うことができる。
【００４９】
上述したように、この実施形態の船外機装着用治具１が採用されていない場合には、海苔養殖作業船の船底に配備されている船外機装着用の開口部１３の蓋を外し、船外機５０の船外機着脱具２１を、開口部周縁１４に対して上側から装着し、緊締具３０を構成するハンドル部３１を回して、緊締具３０を構成する固定片３２を、開口部周縁１４の外壁面１４ａ方向に向けて前進させ、固定片３２を開口部周縁１４の外壁面１４ａに圧接させることで、船外機着脱具２１を開口部１３の開口部周縁１４に緊締係合させて船外機５０を海苔養殖作業船の船底１５に形成されている船外機取付け用の開口部１３に取り付けていた。
【００５０】
また、船底１５の開口部１３から船外機５０を取り外し、引き抜く際には、船外機着脱具２１の緊締具３０を構成するハンドル部３１を逆方向に回して、緊締具３０を構成する固定片３２を、開口部周縁１４の外壁面１４ａから離れる方向に後退させ、固定片３２と開口部周縁１４の外壁面１４ａとの間の圧接状態を解除した後に、船外機５０の船外機着脱具２１を開口部周縁１４から上方向に向けて引き抜いていた。
【００５１】
この作業を、海苔養殖場の様々な場所へ移動するたびごとに行っていたが、船外機５０は相当の重量を有しているので、この着脱作業は簡単ではなく、海の上での作業であることから、危険にさらされるおそれもある作業である。
【００５２】
これに対して、上述したように、この実施形態の船外機装着用治具１は、船の船底１５に設けられている船外機装着用の開口部１３の開口部周縁１４に対して上側から装着されている状態で、この状態の船外機装着用治具１に対して、船外機５０の船外機着脱具２１を上側から着脱自在であって、船外機５０の船外機着脱具２１が備えている緊締具３０を構成するハンドル部３１を回転させて緊締係合を行う、あるいは、その解除を行う、という作業が不要である。
【００５３】
この実施形態の船外機装着用治具１を用いると、上述したように、船外機装着用治具１を開口部１３開口部周縁１４に固定しておくだけで、船外機５０を着脱する際には、ハンドル部３０を操作する締め付け、固定、その解除、等を行う必要がなく、簡単に船外機５０の着脱作業を行うことができる。
【００５４】
以上、添付図面を参照してこの発明の実施形態を説明したが、本発明はこれらに限られるものではなく、特許請求の範囲の記載から把握される技術的範囲において種々に変更可能である。
【符号の説明】
【００５５】
１  船底開口部への船外機装着用治具
２  外側掛止片
３  上側掛止片
４  内側掛止片
５  横板
６  旋回支持部
７  支持部
８  垂直支持板部
９  水平支持板部
１０  緊締具
１１  ハンドル部
１２  固定片
１３  船外機装着用の開口部
１４  開口部の開口部周縁
１４ｃ  開口部周縁の内壁面
１４ｂ  開口部周縁の上壁面
１４ａ  開口部周縁の外壁面
２１  船外機着脱具
２２  外側掛止片
２３  上側掛止片
２４  内側掛止片
３０  緊締具
３１  ハンドル部
３２  固定片
５０  船外機
【図１】
2018065401.tif 000003
【図２】
2018065401.tif 000004
【図３】
2018065401.tif 000005
【図４】
2018065401.tif 000006
【図５】
2018065401.tif 000007
【図６】
2018065401.tif 000008
【図７】
2018065401.tif 000009